(57)【要約】      （修正有）【課題】球状セラミックスをケース本体内で転動させることができ、脱臭効果の著しい低下を防止することができる脱臭機能及び遠赤外線放射機能を備えた器具を提供する。【解決手段】器具１１は、中空状に形成されたケース本体１３内に複数の球状セラミックス１４が収容されて構成されている。収容容器１５の底壁１５ａには膨出部１７が形成され、球状セラミックス１４は、ケース本体１３の幅方向及び長さ方向に隣接する球状セラミックス１４同士の間にクリアランスが形成されるように収容空間Ｓ内に収容されている。器具１１が振動した際に、球状セラミックス１４を転動させることが可能となり、器具１１が振動される都度、円孔１９及び長孔２２側に臨む球状セラミックス１４の表面の位置を代えることが可能となる。【選択図】      図７
2004159699.tif 000002
【特許請求の範囲】
【請求項１】
中空状に形成されたケース本体内に、臭分子吸着による脱臭機能及び加熱手段で加熱されると遠赤外線を放射する遠赤外線放射機能を備えた複数の球状セラミックスが収容され、前記ケース本体に、少なくとも一箇所に通気部が形成されているとともに、ケース本体の底部に、同ケース本体内に膨出する膨出部及び同膨出部より低位置となる底面部が形成され、前記膨出部上及び底面部上に球状セラミックスが転動可能に配設されていることを特徴とする脱臭機能及び遠赤外線放射機能を備えた器具。
【請求項２】
前記ケース本体は細長形状に形成され、前記膨出部及び底面部はケース本体の長さ方向に延びるように形成されているとともに、膨出部及び底面部の長さ方向に沿って複数個の球状セラミックスが収容されていることを特徴とする請求項１に記載の脱臭機能及び遠赤外線放射機能を備えた器具。
【請求項３】
前記通気部は、ケース本体の長さ方向に相対向する側部に、同ケース本体の長さ方向に沿って形成された複数の長孔と、前記相対向する側部の間に位置するケース本体に、同ケース本体の長さ方向に沿って形成された複数の円孔とより形成されていることを特徴とする請求項２に記載の脱臭機能及び遠赤外線放射機能を備えた器具。
【請求項４】
前記加熱手段は櫓こたつに設けられた赤外線ヒータであり、
前記櫓こたつに設置されることを特徴とする請求項１〜請求項３のいずれか一項に記載の脱臭機能及び遠赤外線放射機能を備えた器具。
【発明の詳細な説明】
【０００１】
【発明の属する技術分野】
本発明は、例えば櫓こたつの櫓を覆う布団内の空間の脱臭及び遠赤外線放射による暖房機能の向上のために、前記櫓に取付けられて使用される脱臭機能及び遠赤外線放射機能を備えた器具に関するものである。
【０００２】
【従来の技術】
例えば櫓こたつの櫓を覆う布団内の空間や、室内の暖房効果を高め、さらに前記空間や室内の臭気の除去をするために、従来よりセラミックスを使用した方法が採用されている（例えば、特許文献１参照。）。前記方法を採用した脱臭機能付暖房装置は、板状に設けられたセラミックスと、このセラミックスの裏面に配置されたフィルムヒータとから構成されている。
【０００３】
そして、前記フィルムヒータが通電されると、当該フィルムヒータが発熱し、さらにその熱により前記セラミックスが加熱される。すると、前記セラミックスは遠赤外線を発生し、暖房効果が高められる。また、セラミックスが加熱されると、そのセラミックスに担持された触媒が活性化され、空間内や室内の空気中の臭分子が触媒に触れると、その臭分子が触媒により分解され、脱臭される。
【０００４】
【特許文献１】
特開平１１−３３７０９６号公報（第２〜第３頁）
【０００５】
【発明が解決しようとする課題】
ところが、セラミックスの空気に接触する面は常に同じであるため、セラミックスの空気に接触する面が、当該面に吸着した臭分子により飽和状態になると、脱臭効果が著しく低下するおそれがあるという問題があった。
【０００６】
本発明は、上記従来技術に存在する問題点に着目してなされたものである。その目的とするところは、球状セラミックスをケース本体内で転動させることができ、脱臭効果の著しい低下を防止することができる脱臭機能及び遠赤外線放射機能を備えた器具を提供することにある。
【０００７】
【課題を解決するための手段】
上記問題点を解決するために、請求項１に記載の発明は、中空状に形成されたケース本体内に、臭分子吸着による脱臭機能及び加熱手段で加熱されると遠赤外線を放射する遠赤外線放射機能を備えた複数の球状セラミックスが収容され、前記ケース本体に、少なくとも一箇所に通気部が形成されているとともに、ケース本体の底部に、同ケース本体内に膨出する膨出部及び同膨出部より低位置となる底面部が形成され、前記膨出部上及び底面部上に球状セラミックスが転動可能に配設されていることを要旨とする。
【０００８】
請求項２に記載の発明は、請求項１に記載の脱臭機能及び遠赤外線放射機能を備えた器具において、前記ケース本体は細長形状に形成され、前記膨出部及び底面部はケース本体の長さ方向に延びるように形成されているとともに、膨出部及び底面部の長さ方向に沿って複数個の球状セラミックスが収容されていることを要旨とする。
【０００９】
請求項３に記載の発明は、請求項２に記載の脱臭機能及び遠赤外線放射機能を備えた器具において、前記通気部は、ケース本体の長さ方向に相対向する側部に、同ケース本体の長さ方向に沿って形成された複数の長孔と、前記相対向する側部の間に位置するケース本体に、同ケース本体の長さ方向に沿って形成された複数の円孔とより形成されていることを要旨とする。
【００１０】
請求項４に記載の発明は、請求項１〜請求項３のいずれか一項に記載の脱臭機能及び遠赤外線放射機能を備えた器具において、前記加熱手段は櫓こたつに設けられた赤外線ヒータであり、前記櫓こたつに設置されることを要旨とする。
【００１１】
【発明の実施の形態】
（第１の実施形態）
以下、本発明を具体化した第１の実施形態である脱臭機能及び遠赤外線放射機能を備えた器具１１を図１〜図７に従って説明する。
【００１２】
図１に示すように、脱臭機能及び遠赤外線放射機能を備えた器具１１（以下、単に器具１１と記載する）は、中空状に形成されたケース本体１３内に、臭分子吸着による脱臭機能及び加熱手段で加熱されると遠赤外線を放射する遠赤外線放射機能を備えた複数の球状セラミックス１４が収容されて構成されている。また、この器具１１は、前記球状セラミックス１４を前記加熱手段により加熱させるために、当該加熱手段の近傍に設置される。
【００１３】
まず、前記球状セラミックス１４について説明する。前記球状セラミックス１４は、炭素粒子、コバルト、マンガン、ジルコニウム等の酸化物、ペタライト（リチウム長石）、浄化石、麦飯石等を適宜混合し、粘土類を混合して球状に焼成して形成されている。そして、球状セラミックス１４は、微細多孔質に形成され、臭分子を吸着するといった前記脱臭機能を有する。また、球状セラミックス１４は近赤外線エネルギーを吸収して昇温し、遠赤外線を放射する前記遠赤外線放射機能を有する。なお、この第１の実施形態では、活性炭粉末、蛙目粘土、浄化石粉末及び酸化コバルトを、水とともに混練し、球状に成形したものを約９００℃で還元焼成して球状セラミックス１４を形成した。
【００１４】
次に、前記ケース本体１３について説明する。ケース本体１３は、収容容器１５と、蓋体１６とを組み付けて形成されている。図２及び図３に示すように、前記収容容器１５は上面に開口を有する細長有底箱状に形成され、底壁１５ａと、その底壁１５ａの周縁に立設された周壁１５ｂとより形成されている。そして、前記収容容器１５と蓋体１６とを組み付けてケース本体１３を形成したとき、底壁１５ａはケース本体１３の底部となる。前記収容容器１５の開口縁の端面には、収容容器１５と蓋体１６とを組み付けるための係合爪１５ｃが複数箇所に形成されている。
【００１５】
底壁１５ａの長さ方向に対して直交する方向である幅方向の中央部には、上方に向かって断面円弧状に膨出する膨出部１７が、底壁１５ａの長さ方向に延びるように形成されている。また、底壁１５ａにおいて、前記膨出部１７の長さ方向に沿った両側には、膨出部１７より低位置となる底面部としての平面状の平面部１８が形成されている。平面部１８の上面から膨出部１７の頂端までの長さは、球状セラミックス１４の半径とほぼ同じに設定されている。
【００１６】
ここで、図７（ａ）に示すように、前記膨出部１７の基端部における幅方向への長さは、前記球状セラミックス１４の直径とほぼ同じに形成され、平面部１８の幅方向への長さは、前記球状セラミックス１４の直径より若干長く形成されている。
【００１７】
図１〜図３に示すように、収容容器１５の長さ方向に相対向する周壁１５ｂには、通気部としての複数の長孔２２が上下方向に細長状に延びるように形成され、それら長孔２２は、収容容器１５の長さ方向に沿って一定間隔おきに形成されている。前記長孔２２の相対向する内縁部間の長さのうち、長孔２２の長さ方向に対して直交する方向である長孔２２の幅方向への長さは、前記球状セラミックス１４の半径と略同一、具体的には球状セラミックス１４の半径より若干長く形成されている。
【００１８】
また、収容容器１５の長さ方向に相対向する周壁１５ｂ間に位置するケース本体１３、即ち底壁１５ａには、通気部としての複数の円孔１９がケース本体１３の長さ方向に沿って一定間隔おきに形成されている。円孔１９の直径は、球状セラミックス１４の直径のほぼ３分の２に形成されている。なお、円孔１９は収容容器１５の長さ方向に沿って千鳥状に位置するように形成されている。加えて、底壁１５ａ上面の両側部には、仕切板１５ｄが上方へ延びるように形成されている。
【００１９】
次に、前記蓋体１６について説明する。図４に示すように、蓋体１６は細長板状に形成され、同蓋体１６の周縁部には、前記係合爪１５ｃが挿入可能な係合孔１６ａが形成されている。図４、図５（ａ）及び図５（ｂ）に示すように、蓋体１６の両端部の下面には、それぞれ仕切り板１６ｂが下方に延びるように形成されている。また、図５（ａ）に示すように、蓋体１６の両端部には、同蓋体１６を貫通する貫通孔１６ｃが形成されている。さらに、図５（ｂ）に示すように、蓋体１６の下面は、同蓋体１６の長さ方向に対して直交する方向である幅方向の中央部が円弧状に凹むように形成されている。
【００２０】
そして、図７（ａ）に示すように、収容容器１５の係合爪１５ｃを、蓋体１６の係合孔１６ａに挿入し、係合爪１５ｃを係合孔１６ａの周縁部に係合させることにより、収容容器１５と蓋体１６とが組み付けられてケース本体１３が形成されている。ケース本体１３には、収容容器１５の内側面と、蓋体１６の下面との間に、前記球状セラミックス１４を収容する収容空間Ｓが形成されている。この収容空間Ｓは、ケース本体１３の幅方向における断面視が、中央部が上方に膨出する円弧状に形成されている。また、収容空間Ｓの上下方向への長さは、球状セラミックス１４の直径の２倍の値より短く形成されている。
【００２１】
図７（ｂ）に示すように、前記収容空間Ｓに収容された球状セラミックス１４は、前記膨出部１７上及び両平面部１８上の長さ方向のほぼ全体に亘るように複数個配設されている。即ち、ケース本体１３の長さ方向に沿って延びる球状セラミックス１４の列が３列に形成されている。そして、両平面部１８上に配設された球状セラミックス１４は、それら膨出部１７の長さ方向に延びる側面と、周壁１５ｂの内側面との間で転動可能であるとともに、相対向する仕切板１５ｄ同士の間で転動可能となっている。即ち、両平面部１８上の球状セラミックス１４は、それら平面部１８の幅方向及び長さ方向へ転動可能に配設されている。
【００２２】
また、膨出部１７上の球状セラミックス１４は、平面部１８上の球状セラミックス１４が周壁１５ｂ側へ転動し、その平面部１８上の球状セラミックス１４との間にクリアランスが形成されたときに、膨出部１７の幅方向へ転動可能に配設されている。さらに、相対向する仕切板１５ｄ同士の間で転動可能に配設されている。即ち、膨出部１７上の球状セラミックス１４も、膨出部１７の幅方向及び長さ方向へ転動可能に配設されている。
【００２３】
上記構成の器具１１は、図１及び図６に示すように、櫓こたつの櫓を構成する辺部２０に取り付けられる。前記櫓は、井桁状をなし、コーナ部に支持脚（図示せず）を備え、さらに櫓の井桁状の枠内には加熱手段としての赤外線ヒータ（図示せず）が設けられている。そして、器具１１は、前記櫓の辺部２０の下面に粘着テープ（図示せず）を使用して取り付けられている。
【００２４】
次に、上記構成の器具１１の作用について説明する。
器具１１が櫓こたつの辺部２０に取り付けられた状態において、櫓には図示しない布団が被せられ、器具１１は前記布団の内側に配設されている。赤外線ヒータが使用されていないときには、球状セラミックス１４は、布団の内側に存在する臭分子を吸着する。そして、赤外線ヒータが使用されると、球状セラミックス１４に吸着された臭分子は、赤外線ヒータによる加熱によって分解され、脱臭機能が効果的に発揮される。このとき、ケース本体１３には、長孔２２及び円孔１９が複数箇所に形成されているため、ケース本体１３内に空気を効率良く通過させることができ、球状セラミックス１４と空気とを接触させやすくして、臭分子の吸着が効率良く行われる。
【００２５】
また、赤外線ヒータが放射した近赤外線が、球状セラミックス１４に吸収されると、球状セラミックス１４は昇温する。すると、球状セラミックス１４は遠赤外線を放射するため、布団の内側の空間が効果的に暖房される。
【００２６】
櫓こたつが持ち上げられたり、運ばれたりして、器具１１が振動したとき、球状セラミックス１４は球状であるため、両平面部１８上を同平面部１８の幅方向及び長さ方向へ容易に転動される。また、いずれか一方の平面部１８上の球状セラミックス１４と、膨出部１７上の球状セラミックス１４との間にクリアランスが形成される。すると、平面部１８上の球状セラミックス１４より高い位置にある膨出部１７上の球状セラミックス１４は、そのクリアランスの分だけ膨出部１７上を幅方向に沿って容易に転動する。
【００２７】
即ち、膨出部１７により、膨出部１７上の球状セラミックス１４と、平面部１８上の球状セラミックス１４との間には高低差が形成されている。そのため、球状セラミックス１４は、同一平面上に配設されている場合と比較して、膨出部１７上を転動しやすくなり、さらに、前記高低差の分だけ球状セラミックス１４が膨出部１７上を転動する距離が長くなる。膨出部１７上の球状セラミックス１４はケース本体１３の長さ方向にも転動する。
【００２８】
なお、膨出部１７の平面部１８上面からの高さは球状セラミックス１４の半径とほぼ同じに設定されているため、膨出部１７上の球状セラミックス１４は、平面部１８上の球状セラミックス１４より、球状セラミックス１４の半径分だけ上方に突出している。その結果、膨出部１７上の球状セラミックス１４は、平面部１８上の球状セラミックス１４の上にまで転動することが規制されている。
【００２９】
円孔１９の直径は球状セラミックス１４の直径の３分の２に設定され、長孔２２の幅方向への長さは球状セラミックス１４の半径より若干長く設定されている。そのため、球状セラミックス１４が円孔１９及び長孔２２内に入り込んでしまい、球状セラミックス１４の転動が停止されてしまうといった虞が防止される。その結果、器具１１が振動される毎に、球状セラミックス１４が転動して、円孔１９及び長孔２２側に臨む球状セラミックス１４の表面の位置を代えることが可能となる。
【００３０】
上記第１の実施形態の器具１１によれば、以下のような特徴を得ることができる。
（１）膨出部１７及び平面部１８を形成して底壁１５ａに高低差を形成し、ケース本体１３内に球状セラミックス１４を収容した。そのため、器具１１が振動される都度、球状をなす球状セラミックス１４を、膨出部１７上を容易に転動させることができるとともに、平面部１８上の球状セラミックス１４も転動させることができる。従って、球状セラミックス１４において、振動前とは別の表面を円孔１９及び長孔２２側に臨ませることができる。その結果、球状セラミックス１４の一定の面が臭分子により飽和状態になり、脱臭効果が著しく低下するといった不都合の発生を防止することができる。また、球状セラミックス１４が転動することにより、ゴミ等の異物が球状セラミックス１４の表面に付着したままになるおそれが無くなり、脱臭効果の低下を防止することができる。加えて、球状セラミックス１４に照射された近赤外線が遠赤外線として放射されるため、布団の内側の空間の人体を効果的に暖めることができ、暖房効果を高めることができる。
【００３１】
（２）膨出部１７と平面部１８とを設け、球状セラミックス１４同士の間に高低差を設けることにより、球状セラミックス１４が同一平面上に配設されている場合よりも、球状セラミックス１４が膨出部１７の幅方向へ転動する距離を長くすることができる。従って、振動前とは別の球状セラミックス１４の表面を円孔１９及び長孔２２側に確実に臨ませることができる。
【００３２】
（３）膨出部１７上及び平面部１８上の球状セラミックス１４は、それぞれ膨出部１７及び平面部１８の幅方向及び長さ方向へ転動する。即ち、収容空間Ｓ内の球状セラミックス１４が転動するため、球状セラミックス１４を、振動前とは別の表面を円孔１９及び長孔２２側に臨ませることができる。
【００３３】
（４）膨出部１７は断面円弧状に形成されている。そのため、膨出部１７の上面が平面状に形成されている場合と比較して、球状セラミックス１４を容易に転動させることができる。
【００３４】
（５）収容空間Ｓの幅方向への断面形状は、ほぼ一定の幅で円弧状に延びるように形成されている。そのため、膨出部１７上の球状セラミックス１４と、平面部１８上の球状セラミックス１４とが上下に重なる不具合を防止することができる。
【００３５】
（６）円孔１９及び長孔２２の大きさを所定値に設定することにより、球状セラミックス１４が円孔１９及び長孔２２に入り込んで転動が停止されるといった不具合の発生を防止することができ、上記（１）の効果を確実に発揮させることができる。
【００３６】
（７）球状セラミックス１４は、収容空間Ｓの幅方向に３個収容され、長さ方向に複数個収容されている。そのため、臭分子を吸着する球状セラミックス１４の表面積を広くすることができ、脱臭機能及び遠赤外線放射機能を効果的に発揮させることができる。
【００３７】
（８）通気部として円孔１９と長孔２２の２形状を形成した。そのため、収容容器１５に円孔１９のみを形成する場合と比較して、通気部の表面積の和を大きくすることができ、ケース本体１３内へ空気を流入させやすくすることができる。その結果、球状セラミックス１４に吸着される臭分子の量を多くすることができ、脱臭機能を効果的に発揮させることができる。
【００３８】
（９）器具１１を櫓こたつに設置することにより、赤外線ヒータにより球状セラミックス１４を加熱、昇温させることができる。そのため、球状セラミックス１４に吸着された臭分子を加熱して分解することができ、球状セラミックス１４の脱臭機能が低下する不具合の発生を防止することができる。従って、球状セラミックス１４を取り替えることなく、器具１１を半永久的に使用することができる。
【００３９】
（第２の実施形態）
以下、本発明を具体化した第２の実施形態である脱臭機能及び遠赤外線放射機能を備えた器具３０を図８及び図９に従って説明する。なお、第２の実施形態は、第１の実施形態の蓋体１６、収容容器１５及びケース本体１３を変更したのみの構成であるため、同様の部分についてはその詳細な説明を省略する。
【００４０】
図８に示すように、脱臭機能及び遠赤外線放射機能を備えた器具３０（以下、単に器具３０と記載する）は中空状に形成されたケース本体３１内に、前記球状セラミックス１４が収容されて形成されている。前記ケース本体３１は、ベース３２と、カバー３３とを組み付けて形成されている。ベース３２は細長板状に形成され、カバー３３は下面に開口を有する細長ドーム状に形成されている。
【００４１】
図９に示すように、ベース３２の周縁部には、同ベース３２とカバー３３とを組み付けるための係合孔３２ａが形成されている。ベース３２の両端部の表面には、それぞれ仕切り板３２ｂが立設されている。
【００４２】
ベース３２の長さ方向に対して直交する方向である幅方向の中央部には、上方に向かって断面円弧状に膨出する膨出部３５が、ベース３２の長さ方向に延びるように形成されている。また、ベース３２において、前記膨出部３５の長さ方向に沿った両側には、膨出部３５より低位置となる底面部としての平面状をなす平面部３６が形成されている。前記膨出部３５及び平面部３６の幅方向への長さ及び高さ（高低差）は、第１の実施形態と同様に設定されている。そして、ベース３２はケース本体３１を形成したとき、そのケース本体３１の底部となる。
【００４３】
次に、前記カバー３３について説明する。カバー３３の周壁の開口縁の端面には、前記係合孔３２ａに係合可能な係合爪３３ｃが複数箇所に形成されている。図８に示すように、周壁の長さ方向における相対向する側部には、通気部としての長孔３３ａが細長状に延びるように形成され、それら長孔３３ａは、ベース３２の長さ方向に沿って一定間隔おきに形成されている。前記長孔３３ａの形状は第１の実施形態とほぼ同じに設定されている。
【００４４】
また、周壁において、前記周壁の長さ方向に延びる相対向する側部の間、即ち周壁の両側の長孔３３ａの間に、通気部としての円孔３３ｂが形成されている。それら円孔３３ｂの形状は、第１の実施形態の円孔１９と同一に設定され、円孔３３ｂはカバー３３の長さ方向に沿って千鳥状に位置するように形成されている。
【００４５】
そして、係合孔３２ａと係合爪３３ｃとを係合させることにより、ベース３２とカバー３３とが組み付けられてケース本体３１が形成されている。図９に示すように、ケース本体３１には、ベース３２の上面と、カバー３３の内側面との間に、前記球状セラミックス１４を収容する収容空間Ｓが形成され、ケース本体３１の幅方向に沿った前記収容空間Ｓの断面視は、中央部が上方に膨出する円弧状に形成されている。
【００４６】
そして、ケース本体３１の底部となるベース３２の上面には膨出部３５及び平面部３６が形成され、その膨出部３５上及び膨出部３５の両側の前記両平面部３６上には、それら膨出部３５及び平面部３６の長さ方向に沿って複数個の球状セラミックス１４が配設されている。上記構成の器具３０は、図８に示すように、ベース３２の下面に貼着された貼着テープ（図示せず）によって、前記櫓こたつの辺部２０に取り付けられた取付金具３７の上面に取付けられ、その取付金具３７を介して辺部２０に取付けられる。
【００４７】
従って、第２の実施形態の器具３０によれば、前記第１の実施形態の（１）〜（９）と同様の効果が得られる。
なお、各実施形態は以下のように変更してもよい。
【００４８】
・  第１の実施形態及び第２の実施形態では、ケース本体１３，３１に円孔１９，３３ｂ及び長孔２２，３３ａを形成したが、ケース本体１３，３１に形成される通気部を全て円孔１９，３３ｂ又は長孔２２，３３ａとしてもよい。また、球状セラミックス１４が通気部に入り込み、その転動が停止されないのであれば、通気部の形状又は大きさを任意に変更してもよい。例えば、通気部をＣ字状に延びる孔としてもよく、四角孔としてもよい。
【００４９】
・  また、円孔１９，３３ｂ及び長孔２２，３３ａを網部材で覆ってもよい。
・  第１の実施形態及び第２の実施形態では、器具１１，３０を櫓こたつに取り付けて使用したが、医療機関等においてリハビリで温風治療をする場合、その温風の発生源となる加熱手段としての発熱体の近傍に器具１１，３０を設置してもよい。そして、器具１１，３０によって遠赤外線放射機能及び脱臭機能を発揮させてもよい。
【００５０】
・  第１の実施形態及び第２の実施形態において、球状セラミックス１４の直径のばらつきに応じて、収容空間Ｓ内に収容される球状セラミックス１４の個数を適宜変更してもよい。即ち、ケース本体１３，３１の幅方向及び長さ方向に隣接する球状セラミックス１４同士の間にクリアランスが形成されるように球状セラミックス１４の個数を調整する。
【００５１】
・  第１の実施形態及び第２の実施形態では、ケース本体１３，３１が細長形状となるように収容容器１５と蓋体１６及びベース３２とカバー３３を形成したが、ケース本体１３，３１を正方形状、円環状等となるように収容容器１５と蓋体１６及びベース３２とカバー３３の形状を変更してもよい。
【００５２】
・  第１の実施形態及び第２の実施形態では、膨出部１７，３５の両側に平面部１８，３６が位置するように形成したが以下のように変更してもよい。即ち、底壁１５ａ又はベース３２に膨出部１７，３５を複数箇所に形成し、それら膨出部１７，３５の両側に底面部としての平面部１８，３６を形成する。そして、ケース本体１３，３１の幅方向に沿って球状セラミックス１４を５個以上配設してもよい。さらに、底壁１５ａ又はベース３２の長さ方向に沿った一側縁部に膨出部１７，３５を形成し、その膨出部１７，３５よりも底壁１５ａ又はベース３２の他側縁部に底面部としての平面部１８，３６を形成する。即ち、平面部１８，３６を膨出部１７，３５の一側部のみに形成してケース本体１３，３１の幅方向に沿って球状セラミックス１４を２個配設するとともに、球状セラミックス１４の列を２列としてもよい。
【００５３】
・  また、収容容器１５の底壁１５ａ又はベース３２の中央部に円柱状をなす膨出部１７，３５を形成し、その膨出部１７，３５を囲む位置に平面部１８，３６を形成してもよい。
【００５４】
・  各実施形態では、球状セラミックス１４を平面部１８，３６及び膨出部１７，３５の長さ方向に沿って複数個配設したが、ケース本体１３，３１の長さを短くし、両平面部１８，３６及び膨出部１７，３５に球状セラミックス１４を１個ずつ配設してもよい。
【００５５】
・  第１及び第２の実施形態では、粘着テープを使用して器具１１，３０を辺部２０又は取付金具３７に取付けたが、蓋体１６の両貫通孔１６ｃに紐等を貫通させ、その紐等を辺部２０に結びつけて器具１１，３０を取り付けてもよい。
【００５６】
・  第１の実施形態及び第２の実施形態では、ケース本体１３，３１に通気部として複数の円孔１９，３３ｂ及び長孔２２，３３ａを設けたが、通気部として１箇所だけに円孔１９，３３ｂ又は長孔２２，３３ａを設けてもよい。
【００５７】
・  第１の実施形態では、辺部２０の下面に器具１１を直接取付けたが、器具１１を辺部２０の側面に取り付けてもよい。又は、辺部２０の側面に取付金具３７を取付け、その取付金具３７の下面に器具１１を取り付けてもよく、辺部２０に一体形成された取付部の下面に器具１１を取り付けてもよい。
【００５８】
・  第２の実施形態では、辺部２０に取付けられた取付金具３７の上面に器具３０を取付けたが以下のように変更してもよい。例えば、取付金具３７を省略するとともに、辺部２０に一体形成された取付部の上面に器具１１を取り付けてもよい。又は、取付金具３７を省略し、器具３０を辺部２０の上面又は側面に直接的に取り付けてもよい。
【００５９】
・  第１の実施形態及び第２の実施形態では、膨出部１７，３５を断面円弧状に形成したが、膨出部１７，３５の上端部を平面状に形成してもよい。
・  第１の実施形態及び第２の実施形態では、膨出部１７，３５の両側に底面部として平面部１８，３６を形成したが、膨出部１７，３５の両側の底面部を傾斜面としてもよく、球状セラミックス１４の転動を妨げないのであれば凹凸状に形成してもよい。
【００６０】
・  各実施形態では、器具１１，３０を加熱手段として赤外線ヒータの近傍に設置したが、赤外線ヒータの代わりに、加熱手段として近赤外線を放射する電気ストーブ、木炭等の近傍位置に器具１１，３０を設置してもよい。
【００６１】
次に上記実施形態及び別例から把握できる技術的思想について、それらの効果とともに以下に追記する。
（１）前記球状セラミックスが前記通気部に入り込むことによる転動の停止を防止すべく前記通気部の少なくとも相対向する内縁部の長さは球状セラミックスの半径と略同一となるように形成されていることを特徴とする請求項１〜請求項４のいずれか一項に記載の脱臭機能及び遠赤外線放射機能を備えた器具。このように構成した場合、球状セラミックスが通気部に入り込んで転動が停止される不具合の発生を防止して、球状セラミックスをケース本体内で転動させることができ、脱臭機能及び遠赤外線放射機能を効果的に発揮させることができる。
【００６２】
【発明の効果】
以上、詳述したように、本発明によれば、球状セラミックスをケース本体内で転動させることができ、脱臭効果の著しい低下を防止することができる。
【００６３】
請求項２に記載の発明によれば、請求項１に記載の発明の効果に加え、ケース本体内に収容される球状セラミックスを多くして、同球状セラミックスの表面積を広くすることができ、脱臭機能及び遠赤外線放射機能を効果的に発揮させることができる。
【００６４】
請求項３に記載の発明によれば、請求項２に記載の発明の効果に加え、例えば通気部として円孔のみをケース本体に形成した場合と比較して、通気部の表面積の和を大きくすることができ、ケース本体内へ空気を流入させやすくすることができる。従って、球状セラミックスを空気により広く接触させることができ、脱臭機能を効果的に発揮させることができる。
【００６５】
請求項４に記載の発明によれば、請求項１〜請求項３のいずれか一項に記載の発明の効果に加え、櫓こたつに設けられた布団の内側の空間における暖房効果を高めることができるとともに、前記空間内を脱臭することができ、さらに、その脱臭効果の著しい低下を防止することができる。
【図面の簡単な説明】
【図１】第１の実施形態の器具を辺部に取付けた状態を示す斜視図。
【図２】第１の実施形態の収容容器を示す平面図。
【図３】第１の実施形態の収容容器を示す図２の３−３線断面図。
【図４】第１の実施形態の蓋体を示す下面図。
【図５】（ａ）は第１の実施形態の蓋体の端部を示す図４の５ａ−５ａ線断面図、（ｂ）は第１の実施形態の蓋体を示す図４の５ｂ−５ｂ線断面図。
【図６】第１の実施形態の器具を辺部に取付けた状態を示す側面図。
【図７】（ａ）は第１の実施形態の器具内を示す図６の７ａ線断面図、（ｂ）は器具内を示す平面図。
【図８】第２の実施形態の器具を辺部に取付けた状態を示す斜視図。
【図９】第２の実施形態の器具内を示す断面図。
【符号の説明】
１１，３０…脱臭機能及び遠赤外線放射機能を備えた器具、１３，３１…ケース本体、１４…球状セラミックス、１７，３５…膨出部、１８，３６…底面部としての平面部、１９，３３ｂ…通気部としての円孔、２２，３３ａ…通気部としての長孔。
【図１】
2004159699.tif 000003
【図２】
2004159699.tif 000004
【図３】
2004159699.tif 000005
【図４】
2004159699.tif 000006
【図５】
2004159699.tif 000007
【図６】
2004159699.tif 000008
【図７】
2004159699.tif 000009
【図８】
2004159699.tif 000010
【図９】
2004159699.tif 000011